(57)【特許請求の範囲】
【請求項１】
被検眼角膜に対して気流を吹き付ける気流吹付手段と、
前記角膜に向けて平行光束を投影する角膜表面変形投影光学系と、
前記角膜で反射された前記平行光束を受光してその受光量を検出し、その受光量は、前記角膜の表面のみが前記気流吹付手段から吹き付けられる気流で圧平されたときに最大になるように設定された角膜表面変形検出光学系と、
前記気流吹付手段による前記角膜への気流の吹き付け開始時から時間を測定し始め、前記角膜表面変形検出光学系の受光量が最大であると判断したときに、そのときまでの経過時間に基づいて前記角膜の硬さを判断する制御回路と
を備えたことを特徴とする非接触式眼圧計。
【請求項２】
被検眼角膜に対して気流を吹き付ける気流吹付手段と、
前記角膜に向けて平行光束を投影する角膜表面変形投影光学系と、
前記角膜で反射された前記平行光束を受光してその受光量を検出し、その受光量は、前記角膜の表面のみが前記気流吹付手段から吹き付けられる気流で圧平されたときに最大になるように設定された角膜表面変形検出光学系と、
前記角膜表面変形検出光学系の受光量が最大であると判断したときに前記角膜に吹き付けている気流の圧力に基づいて前記角膜の硬さを判断する制御回路と
を備えたことを特徴とする非接触式眼圧計。
【請求項３】
請求項１または請求項２に記載の非接触式眼圧計において、
前記角膜に向けて平行光束を投影する圧平検出投影光学系と、
前記角膜で反射された前記平行光束を受光して、その受光量を検出し、その受光量が、前記角膜の内側まで圧平されたときに最大になるように設定された圧平検出受光光学系とを備え、
前記制御回路は、前記圧平検出受光光学系の受光量が最大であると判断したときに前記角膜に吹き付けている気流の圧力に基づいて眼圧値を求めることを特徴とする非接触式眼圧計。
【請求項４】
請求項３に記載の非接触式眼圧計において、
前記圧平検出投影光学系が、前記角膜に向けて前記角膜表面変形投影光学系と同じ方向から平行光束を投影する場合には、前記角膜表面変形投影光学系の平行光束の径を前記圧平検出投影光学系の平行光束の経よりも小さく設定したことを特徴とする非接触式眼圧計。
【請求項５】
請求項４に記載の非接触式眼圧計において、
前記圧平検出受光光学系が前記角膜表面変形検出光学系を兼ねるようにしたことを特徴とする非接触式眼圧計。
【発明の詳細な説明】
【０００１】
【発明の属する技術分野】
この発明は、角膜に気流を吹き付ける気流吹付手段を備えた非接触式眼圧計に関する。
【０００２】
【従来技術】
従来から、被検眼角膜に対して光束を投影しその反射光を検出して角膜厚さを演算する演算手段と、被検眼角膜に対し気流を吹き付け、被検眼角膜が所定の変形となったことを検出して眼圧を測定する測定手段とを備え、前記演算手段により算出した角膜変形前の角膜厚さと角膜が変形した時点の角膜厚さとの関係から、測定手段により算出した眼圧値を補正する非接触式眼圧計が知られている（特開２０００−２１３号公報参照）。
【０００３】
【発明が解決しようとする課題】
このような非接触式眼圧計にあっては、角膜の厚さから角膜の硬さを推測して眼圧値を補正するものであり、実際に角膜の硬さを測定するものではなかった。
【０００４】
この発明は、上記事情に鑑みてなされたものであり、その目的は角膜の硬さを実際に測定することのできる非接触式眼圧計を提供することにある。
【０００５】
【課題を解決するための手段】
上記目的を達成するため、請求項１の発明は、
被検眼角膜に対して気流を吹き付ける気流吹付手段と、
前記角膜に向けて平行光束を投影する角膜表面変形投影光学系と、
前記角膜で反射された前記平行光束を受光してその受光量を検出し、その受光量は、前記角膜の表面のみが前記気流吹付手段から吹き付けられる気流で圧平されたときに最大になるように設定された角膜表面変形検出光学系と、
前記気流吹付手段による前記角膜への気流の吹き付け開始時から時間を測定し始め、前記角膜表面変形検出光学系の受光量が最大であると判断したときに、そのときまでの経過時間に基づいて前記角膜の硬さを判断する制御回路と
を備えたことを特徴とする。
【０００６】
請求項２の発明は、
被検眼角膜に対して気流を吹き付ける気流吹付手段と、
前記角膜に向けて平行光束を投影する角膜表面変形投影光学系と、
前記角膜で反射された前記平行光束を受光してその受光量を検出し、その受光量は、前記角膜の表面のみが前記気流吹付手段から吹き付けられる気流で圧平されたときに最大になるように設定された角膜表面変形検出光学系と、
前記角膜表面変形検出光学系の受光量が最大であると判断したときに前記角膜に吹き付けている気流の圧力に基づいて前記角膜の硬さを判断する制御回路と
を備えたことを特徴とする。
【０００７】
請求項３の発明は、
請求項１または請求項２に記載の非接触式眼圧計において、
前記角膜に向けて平行光束を投影する圧平検出投影光学系と、
前記角膜で反射された前記平行光束を受光して、その受光量を検出し、その受光量が、前記角膜の内側まで圧平されたときに最大になるように設定された圧平検出受光光学系とを備え、
前記制御回路は、前記圧平検出受光光学系の受光量が最大であると判断したときに前記角膜に吹き付けている気流の圧力に基づいて眼圧値を求めることを特徴とする。
【０００８】
請求項４の発明は、
請求項３に記載の非接触式眼圧計において、
前記圧平検出投影光学系が、前記角膜に向けて前記角膜表面変形投影光学系と同じ方向から平行光束を投影する場合には、前記角膜表面変形投影光学系の平行光束の径を前記圧平検出投影光学系の平行光束の経よりも小さく設定したことを特徴とする。
【０００９】
請求項５の発明は、
請求項４に記載の非接触式眼圧計において、
前記圧平検出受光光学系が前記角膜表面変形検出光学系を兼ねるようにしたことを特徴とする。
【００１０】
【発明の実施の形態】
以下、この発明に係る非接触式眼圧計の実施の形態を図面に基づいて説明する。
【００１１】
［第１実施形態］
図１および図２は非接触式眼圧計の光学系を示したものであり、この非接触式眼圧計は、被検眼Ｅの前眼部を観察するための前眼部観察光学系１０、ＸＹ方向のアライメント検出および角膜表面変形検出のための指標光を被検眼Ｅの角膜Ｃに正面から投影するＸＹアライメント指標投影光学系２０、被検眼Ｅに固視標を提示する固視標投影光学系３０、ＸＹアライメント指標光の角膜Ｃによる反射光を受光して装置本体と角膜ＣのＸＹ方向の位置関係を検出するＸＹアライメント検出光学系４０、ＸＹアライメント指標光の角膜Ｃによる反射光を受光し角膜Ｃの表面の変形量を検出する角膜表面変形検出光学系（角膜表面変形検出手段）５０、角膜Ｃに斜めからＺ方向のアライメント用指標光（アライメント用指標平行光束）を投影するＺアライメント指標投影光学系６０、Ｚアライメント指標光の角膜Ｃによる反射光を前眼部観察光学系１０の光軸に対して対称な方向から受光し装置本体と角膜ＣのＺ方向の位置関係を検出するＺアライメント検出光学系７０、角膜Ｃの圧平を検出するための圧平検出光束（第１平行光束）を角膜Ｃに向けて斜めから投影する圧平検出投影光学系（第１投影光学系）２００、圧平検出光束の角膜Ｃによる反射光を受光して角膜Ｃの圧平を検出する圧平検出受光光学系（第１受光光学系）２１０を備えている。
【００１２】
前眼部観察光学系１０は、被検眼Ｅの左右に位置して前眼部をダイレクトに照明する複数個の前眼部照明光源１１、気流吹き付けノズル１２、前眼部窓ガラス１３、チャンバー窓ガラス１４、ハーフミラー１５、対物レンズ１６、ハーフミラー１７，１８、ＣＣＤカメラ１９を備え、Ｏ１はその光軸である。
【００１３】
前眼部照明光源１１によって照明された被検眼Ｅの前眼部像は、気流吹き付けノズル１２の外を通り、前眼部窓ガラス１３、チャンバー窓ガラス１４、ハーフミラー１５を透過し、対物レンズ１６により集束されつつハーフミラー１７，１８を透過してＣＣＤカメラ１９上に形成される。
【００１４】
ＸＹアライメント指標投影光学系２０は、赤外光を出射するＸＹアライメント用光源２１、集光レンズ２２、開口絞り２３、ピンホール板２４、ダイクロイックミラー２５、ピンホール板２４に焦点を一致させるように光路上に配置された投影レンズ２６、ハーフミラー１５を有する。
【００１５】
ＸＹアライメント用光源２１から出射された赤外光は、集光レンズ２２により集束されつつ開口絞り２３を通過し、ピンホール板２４に導かれる。そして、ピンホール板２４を通過した光束は、ダイクロイックミラー２５で反射され、投影レンズ２６によって平行光束となってハーフミラー１５で反射された後に、チャンバー窓ガラス１４を透過して気流吹き付けノズル１２の内部を通過し、図３に示すようにＸＹアライメント指標光Ｋを形成する。図３においてＸＹアライメント指標光Ｋは、角膜Ｃの頂点Ｐと角膜Ｃの曲率中心との中間位置に輝点像Ｒを形成するようにして角膜表面Ｔで反射される。なお、開口絞り２３は投影レンズ２６に関して角膜頂点Ｐと共役な位置に設けられている。
【００１６】
固視標投影光学系３０は、可視光を出射する固視標用光源３１、ピンホール板３２、ダイクロイックミラー２５、投影レンズ２６、ハーフミラー１５を有する。
【００１７】
固視標用光源３１から出射された固視標光は、ピンホール板３２、ダイクロイックミラー２５を経て、投影レンズ２６により平行光とされハーフミラー１５で反射された後に、チャンバー窓ガラス１４を透過し、気流吹き付けノズル１２の内部を通過して被検眼Ｅに導かれる。被検者はその固視標を固視目標として注視することにより視線が固定される。
【００１８】
ＸＹアライメント検出光学系４０は、対物レンズ１６、ハーフミラー１８、センサ４１を有する。
【００１９】
ＸＹアライメント指標投影光学系２０により角膜Ｃに投影され、角膜表面Ｔで反射された反射光束は、ノズル１２の内部を通りチャンバー窓ガラス１４、ハーフミラー１５を透過し、対物レンズ１６により集束されつつハーフミラー１７でその一部が透過し、ハーフミラー１８でその一部が反射される。ハーフミラー１８で反射された光束は、センサ４１上に輝点像Ｒ’１を形成する。センサ４１はＰＳＤのような位置検出可能な受光センサである。
【００２０】
図１に示すＸＹアライメント検出回路４２は、センサ４１の出力を基にして、装置本体と角膜Ｃの位置関係（ＸＹ方向）を公知の手段によって演算し、その演算結果をＺアライメント検出補正回路７４および制御回路８０に出力する。
【００２１】
一方、ハーフミラー１８を透過した角膜Ｃによる反射光束は、ＣＣＤカメラ１９上に輝点像Ｒ’２を形成する。ＣＣＤカメラ１９はモニタ装置に画像信号を出力し、図４に示すように、被検眼Ｅの前眼部像Ｅ’、ＸＹアライメント指標光の輝点像Ｒ’２がモニタ装置の画面Ｇに表示される。なお、Ｈは図示しない画像生成手段によって生成されたアライメント補助マークである。
【００２２】
さらに、ハーフミラー１７によって反射された一部の光束は、角膜表面変形検出光学系５０に導かれ、ピンホール板５１を通過してセンサ５２に導かれる。センサ５２はフォトダイオードのような光量検出の可能な受光センサである。
【００２３】
ここで、図５に示すように、角膜Ｃの表面のみが圧平されると平行光束となったＸＹアライメント指標光Ｋの全てがその表面で反射して対物レンズ１６へ向かうので、センサ５２の受光量が最大となり、最大光量となった時点から角膜Ｃの表面のみの圧平を検知するものである。
【００２４】
Ｚアライメント指標投影光学系６０は、赤外光を出射するＺアライメント用光源６１、集光レンズ６２、開口絞り６３、ピンホール板６４、ピンホール板６４に焦点を一致させるように光路上に配置された投影レンズ６５を有し、Ｏ２はその光軸である。
【００２５】
Ｚアライメント用光源６１を出射した赤外光は、集光レンズ６２により集光されつつ開口絞り６３を通過してピンホール板６４に導かれる。ピンホール板６４を通過した光束は、ハーフミラー２０５を介して投影レンズ６５によって平行光とされ角膜Ｃに導かれ、図６に示すように、輝点像Ｑを形成するようにして角膜表面Ｔにおいて反射される。なお、開口絞り６３は投影レンズ６５に関して角膜頂点Ｐと共役な位置に設けられている。
【００２６】
Ｚアライメント検出光学系７０は、結像レンズ７１、Ｙ方向にパワーを持ったシリンドリカルレンズ７２、センサ７３を有している。Ｏ３はその光軸である。
【００２７】
Ｚアライメント指標投影光学系６０によって投影された指標光の角膜表面Ｔにおける反射光束は、結像レンズ７１によって集束されつつハーフミラー２１１を透過してシリンドリカルレンズ７２を介してセンサ７３上に輝点像Ｑ’を形成する。センサ７３はラインセンサやＰＳＤのような位置検出可能な受光センサである。センサ７３からの情報はＺアライメント検出補正回路７４に導かれる。
【００２８】
なおＸＺ平面内においては、輝点像Ｑとセンサ７３は結像レンズ７１に関して共役な位置関係にあり、ＹＺ平面内においては、角膜頂点Ｐとセンサ７３が結像レンズ７１、シリンドリカルレンズ７２に関して共役な位置関係にある。つまりセンサ７３は開口絞り６３と共役関係にあり（このときの倍率は、開口絞り６３の像がセンサ７３の大きさより小さくなるように選んである）、Ｙ方向に角膜Ｃがずれたとしても角膜表面Ｔにおける反射光束は効率良くセンサ７３に入射するようになる。
【００２９】
圧平検出投影光学系２００は、例えば８００nmの赤外光を出射する光源２０１、集光レンズ２０２、開口絞り２０３、ピンホール板２０４、例えば８００nmの赤外光を反射し８６０nmの赤外光を透過するダイクロイックミラー２０５、投影レンズ６５を有している。ピンホール板２０４は投影レンズ６５の焦点距離の位置に配置されている。光源２０１を出射した赤外光は、集光レンズ２０２により集光されつつ開口絞り２０３を通過してピンホール板２０４に導かれる。ピンホール板２０４を通過した光束は、ダイクロイックミラー２０５で反射して投影レンズ６５によって平行光束とされ角膜Ｃに導かれる。光源２０１からの赤外光によって形成される平行光束の径は、光源６１からの赤外光によって形成される平行光束の径よりも小さく設定されている。
【００３０】
圧平検出受光光学系２１０は、結像レンズ７１、８００nmの赤外光を反射し８６０nmの赤外光を透過するダイクロイックミラー２１１、ピンホール板２１２、受光センサ２１３とを有している。圧平検出投影光学系２００によって投影された平行光束の角膜表面Ｔにおける反射光束は、結像レンズ７１によって集束されつつダイクロイックミラー２１１で反射されてピンホール板２１２を通過して受光センサ２１３に導かれる。
【００３１】
図７に示すように、角膜Ｃが圧平（角膜Ｃの内側も圧平）されると、光源２０１の平行光束はその圧平により全光束が結像レンズ７１に向けて反射されるようになっており、このとき、受光センサ２１３は光源２０１から出射される赤外光の受光量が最大となり、これにより角膜Ｃの圧平を検知するものである。
【００３２】
制御回路８０は、ノズル１２からエアが噴出される開始時から受光センサ５２の受光量が最大となる時点までの時間ｔ、すなわち角膜Ｃの表面が変形する直前から図５に示すように角膜Ｃ表面が圧平されるまでの時間ｔから角膜Ｃの硬さを判断して、モニタ画面Ｇにその硬さを表示するようになっている。例えば時間ｔが所定時間以上であれば硬いと判断し、それより以下であれば通常であると判断してその旨を表示する。なお、角膜Ｃの表面が圧平された時点の気流吹付手段の圧力から角膜Ｃの硬さを算出してもよい。
【００３３】
ところで、光源２０１による赤外光の平行光束の径は、光源６１による赤外光の平行光束の径よりも小さく設定されているので、角膜Ｃの変形量に応じた受光センサ２１３の受光量は図８のグラフＧ1に示すように圧平のときに最大となり、そのグラフＧ1におけるピークは１つしか生じない。このため、その圧平を正確に検出することができる。
【００３４】
しかし、径の大きい光源６１による赤外光によって圧平を検出するようにすると、その圧平の周辺部（図７においてＡ部分）も照明されるので、図９のグラフＧ2で示すようにピークが多数生じてしまい、圧平の検出が不正確となる。これは、圧平の周辺部（図７においてＡ部分）で不規則な凹凸の変形が生じ、その部分で反射する反射光束を受光してしまうためである。なお、光源６１による平行光束の径を大きくしてあるのは、オートアライメントが行える領域を広く取るためである。
【００３５】
ここで、Ｚアライメントについて説明する。
【００３６】
図１０（ａ）に示すように、角膜Ｃの位置がＺ方向にΔＺずれた場合、センサ７３上で輝点像Ｑ’の位置が  ΔＺ×sinθ×ｍ  だけ移動する。ここでθは軸Ｏ１と軸Ｏ２および軸Ｏ１と軸Ｏ３のなす角度、ｍはＺアライメント検出光学系７０の結像倍率である。角膜ＣがＺ方向にずれただけであればセンサ７３上での輝点像Ｑ’の移動量から、角膜Ｃのずれ量は容易に算出できる。
【００３７】
しかし、図１０（ｂ）に示すように、角膜Ｃの位置がＸ方向にΔＸずれた場合もセンサ７３上で輝点像Ｑ’の位置が  ΔＸ×cosθ×ｍ  だけ移動する。そこで、Ｚ方向およびＸ方向にずれた場合は、Ｚアライメント検出補正回路７４は、センサ７３上での輝点像Ｑ’の基準位置からのずれ量ΔＱ’とＸＹアライメント検出回路４２からのずれ量ΔＸから、装置本体と角膜ＣのＺ方向の位置関係（ずれ量ΔＺ）を次の式１に基づいて演算し、その演算結果を制御回路８０に出力する。
【００３８】
ΔＺ＝（ΔＱ’−ΔＸ×cosθ×ｍ）／（sinθ×ｍ）  ・・・・・・・・・・・・（１）
制御回路８０は、Ｚアライメント検出補正回路７４の演算結果を基にして、センサ７３上で輝点像Ｑ’が基準位置にくるように、後述するモータ１１２を制御してＺアライメントを行うようになっている。
【００３９】
次に、非接触式眼圧計の機構を図１１および図１２に基づいて説明する。
【００４０】
図１１および図１２において、１００は電源が内蔵されたベースであり、このベース１００の上部には架台１０１がコントロールレバー１０２の操作により前後左右移動可能に設けられている。コントロールレバー１０２には手動スイッチ１０３が設けられ、この手動スイッチ１０３は手動モードのときに用いられる。
架台１０１の上部にはモータ１０４と支柱１０５とが設けられている。モータ１０４と支柱１０５とは図示を略すピニオン・ラックにより結合され、支柱１０５はモータ１０４によって上下方向（Ｙ方向）に移動される。支柱１０５の上端にはテーブル１０６が設けられている。
【００４１】
テーブル１０６には支柱１０７とモータ１０８とが設けられている。支柱１０７の上端にはテーブル１０９が摺動可能に設けられている。テーブル１０９の後端には、図１２に示すようにラック１１０が設けられている。モータ１０８の出力軸にはピニオン１１１が設けられ、ピニオン１１１はラック１１０に噛み合わされている。また、テーブル１０９の上部にはモータ１１２と支柱１１３とが設けられている。モータ１１２の出力軸にはピニオン１１４が設けられている。支柱１１３の上部には装置本体ケース１１５が摺動可能に設けられている。装置本体ケース１１５の側部にはラック１１６が設けられている。ラック１１６はピニオン１１４と噛み合わされている。なお、装置本体ケース１１５の内部には、図１および図２に示した光学系が収納されている。
【００４２】
モータ１０４,１０８,１１２は、前述の制御回路８０から出力される制御信号によって制御される。そして装置本体ケース１１５は、モータ１０４に制御信号が出力されたときはＹ方向の移動が、モータ１０８に制御信号が出力されたときはＸ方向の移動が、モータ１１２に制御信号が出力されたときはＺ方向の移動がそれぞれ制御され、これによって、アライメントの調整が自動で行われる。
【００４３】
次に、上記のように構成される非接触式眼圧計の動作について説明する。
【００４４】
先ず、図示しない電源スイッチを投入すると、各光源１１,２１,３１,６１,２０１が点灯される。なお、各光源１１,２１,３１,６１,２０１はそれぞれ異なる周期で点滅を繰り返しており、どの光源からの光かを識別できるように工夫してある。
【００４５】
光源２１の点灯により、図３に示すように平行光束が角膜Ｃに向けて投影され、角膜Ｃで反射された反射光束は受光センサ４１,５２により受光される。また、光源３１の点灯により固視標が被検眼Ｅに投影され、被検眼Ｅが固視されることになる。
【００４６】
光源６１の点灯により、図１に示すようにアライメント用の平行光束が角膜Ｃに投影され、この角膜Ｃで反射された反射光束がセンサ７３に受光される。光源２０１の点灯により、アライメント用の平行光束よりも径の小さい圧平検知用の平行光束が角膜Ｃに投影され、この角膜Ｃで反射された反射光束がセンサ２１３により７３に受光される。
【００４７】
光源１１の点灯により、被検眼Ｅの前眼部が照明され、被検眼Ｅの前眼部像がＣＣＤカメラ１９上に結像される。そして、図４に示すように、被検眼Ｅの前眼部像Ｅ′とＸＹアライメント指標光の輝点像Ｒ′２とアライメント補助マークＨとがモニタ装置の画面Ｇに表示される。
【００４８】
検者は、このモニタ画面Ｇを見ながらコントロールレバー１０２を操作することにより装置本体を上下左右に移動させて輝点像Ｒ′２をアライメント補助マークＨの中に入れる。すなわち、概略アライメントを行う。
【００４９】
輝点像Ｒ′２がアライメント補助マークＨの中に入ると、ＸＹアライメント検出回路４２が装置本体と角膜ＣのＸＹの位置関係をセンサ４１の受光信号に基づいて演算する。また、Ｚアライメント検出補正回路７４は装置本体と角膜ＣのＺ方向の位置関係をセンサ７３の受光信号とＸＹアライメント検出回路４２の演算結果とに基づいて演算する。制御回路８０は、ＸＹアライメント検出回路４２およびＺアライメント検出補正回路７４から出力される演算結果に基づいてモータ１０４,１０８,１１２を制御する。このモータ１０４,１０８,１１２の制御によりオートアライメントが行われる。
【００５０】
オートアライメントが完了すると、制御回路８０は図示しない気流吹付手段を作動させて気流吹き付けノズル１２から角膜Ｃに向けて気流を吹き付ける。この気流により角膜Ｃが圧平されていく。なお、光源２０１はオートアライメントが完了した時点で点灯するようにしてもよい。
【００５１】
角膜Ｃが圧平されていくとき、すなわち、図５に示すように角膜Ｃの表面のみが圧平されると、図１３に示すように時点ｔ1でセンサ５２の受光量が最大となり、角膜Ｃの表面のみが圧平されたことを制御回路８０が判断する。
【００５２】
また、制御回路８０は、ノズル１２による気流吹き付け開始時点ｔ0からその圧平が検知される時点ｔ1までの時間に基づいて角膜Ｃの硬さを判断し、その結果を例えば図４に示すように硬ければ「硬い」、普通であれば「通常」、柔らかければ「柔らかい」等の文字をモニタ画面Ｇに表示する。なお、時点ｔ1のノズルからの噴出される気流の圧力に基づいて角膜Ｃの硬さを判断してもよい。また、硬さを数値化して表示してもよい。
【００５３】
このように、角膜Ｃの硬さを角膜Ｃ表面の変形から求めているので、実際の角膜Ｃの硬さが分かることになる。
【００５４】
角膜Ｃがさらに圧平されて図７に示す状態になると、図１３に示すように時点ｔ2で受光センサ２１３の受光量が最大となり、角膜Ｃが圧平されたことを制御回路８０が判断する。そして、制御回路８０はその圧平時ｔ2のノズル１２から噴出される気流の圧力に基づいて眼圧値を求め、この眼圧値を「硬い」,「通常」,「柔らかい」等の文字とともにモニタ画面Ｇに表示し、図示しないプリンタからその測定結果である眼圧値と「硬い」,「通常」,「柔らかい」等の文字をプリントアウトする。
【００５５】
このように、眼圧値とともに角膜Ｃの硬さが表示されるので、被検者はその眼圧値が角膜Ｃの硬さの影響を受けたものか否かが分かり、しかも、その硬さは角膜Ｃの実際の硬さを現しているので、正確な診断を行うことができる。
【００５６】
［第２実施形態］
図１４は第２実施形態を示したものである。この第２実施形態では、角膜表面のみの変形を検出するための第２平行光束を投影する角膜表面変形投影光学系（第２投影光学系）２２０を圧平検出投影光学系２００に設けたものである。この第２実施形態では、圧平検出受光光学系２１０が第２平行光束を受光する第２受光光学系を兼ねることになる。
【００５７】
角膜表面変形投影光学系２２０は、８００nmの赤外光を出射する光源２２１、絞り２２２、集光レンズ２２３、開口絞り２２４、ピンホール板２２５、ハーフミラー２２６を有している。ピンホール板２２５は投影レンズ６５の焦点距離の位置に配置されている。
【００５８】
光源２２１を出射した赤外光は、絞り２２２を介して集光レンズ２２３により集光されつつ開口絞り２２４を通過してピンホール板２２５に導かれる。ピンホール板２２５を通過した光束は、ハーフミラー２２６およびダイクロイックミラー２０５で反射して投影レンズ６５によって平行光束Ｗ1とされ角膜Ｃに導かれる。平行光束Ｗ1の径は、光源２０１による赤外光の平行光束Ｗ2の径より小さく設定されている。
【００５９】
この第２実施形態によれば、受光センサ２１３で受光量に基づいて角膜Ｃの表面のみの圧平と、角膜Ｃの圧平とを検知するものである。
【００６０】
この場合、図５に示すように角膜Ｃの表面のみが圧平されると、その圧平で反射される平行光束Ｗ1による受光センサ２１３の受光量が最大となるように設定するとともに、角膜Ｃが図７に示すように圧平されると、その圧平で反射される平行光束Ｗ2による受光センサ２１３の受光量が最大となるように設定しておく。このように設定しておくことにより、受光センサ２１３の受光量は図１５に示すようになる。
【００６１】
すなわち、角膜Ｃの表面のみの圧平のときピークＰ1が現れ、図７に示すように角膜Ｃが圧平されるとピークＰ1よりも大きいピークＰ2が現れる。そして、ピークＰ1を検出することにより角膜Ｃの表面のみの圧平を検知し、ピークＰ2を検出することにより角膜Ｃの圧平を検知するものである。なお、オートアライメントが完了した時点で光源２２１を点灯し、センサ２１３によりピークＰ1を検知したときに光源２２１を消灯し、光源２０１を点灯するようにしてもよい。
【００６２】
この第２実施形態によれば、図１に示すピンホール板５１、センサ５２は不要となる。
【００６３】
【発明の効果】
この発明によれば、角膜の硬さを実際に測定することができ、正確な診断を行うことができる。
【図面の簡単な説明】
【図１】この発明に係る非接触式眼圧計の光学系の配置を示した平面配置図である。
【図２】この発明に係る非接触式眼圧計の光学系の配置を示した側面配置図である。
【図３】角膜に正面から照射されたアライメント光束の反射の説明図である。
【図４】モニタの画面に表示された前眼部像を示す説明図である。
【図５】角膜表面の圧平を示した説明図である。
【図６】角膜に斜め方向から照射されたアライメント光束の反射を示した説明図である。
【図７】角膜が圧平された状態を示した説明図である。
【図８】角膜の変形量と受光量との関係を示したグラフである。
【図９】径の大きい平行光束で角膜を投影した場合の問題を説明するためのグラフである。
【図１０】角膜の位置がずれた場合の光束の入反射関係を示す図であって、（ａ）は角膜がＺ方向にずれた場合の説明図、（ｂ）は角膜がＸ方向にずれた場合の説明図である。
【図１１】非接触式眼圧計の装置全体を示した側面図である。
【図１２】非接触式眼圧計の装置の要部を示した平面図である。
【図１３】角膜の変形量と受光量との関係を示したグラフである。
【図１４】第２実施形態を示した説明図である。
【図１５】角膜の変形量と受光量との関係を示したグラフである。
【符号の説明】
１２                      ノズル
５０                      角膜変形検出光学系
Ｃ                      角膜
【図１】
0004578660.tif 000002
【図２】
0004578660.tif 000003
【図３】
0004578660.tif 000004
【図４】
0004578660.tif 000005
【図５】
0004578660.tif 000006
【図６】
0004578660.tif 000007
【図７】
0004578660.tif 000008
【図８】
0004578660.tif 000009
【図９】
0004578660.tif 000010
【図１０】
0004578660.tif 000011
【図１１】
0004578660.tif 000012
【図１２】
0004578660.tif 000013
【図１３】
0004578660.tif 000014
【図１４】
0004578660.tif 000015
【図１５】
0004578660.tif 000016